【事件の表示】
　特願２０００−４０３３８６「表示装置」拒絶査定不服審判事件〔平成１４年　７月１９日出願公開、特開２００２−２０２７７２〕について、次のとおり審決する。
【結　論】
　本件審判の請求は、成り立たない。
【理　由】
１．手続の経緯
（１）経緯
　本願は、平成１２年１２月２８日の出願であって、明細書の特許請求の範囲について、平成２２年８月２０日付けで補正がなされ（以下、「補正１」という。）、同年１１月２２日付けで補正がなされ（以下、「補正２」という。）、平成２３年１月２８日付けで、補正２を決定をもって却下するとともに、同日付けで拒絶査定がなされ、これに対し、同年４月２１日に拒絶査定不服審判が請求されると同時に、明細書の特許請求の範囲についての補正（以下、「補正３」という。）がなされたものである。
　その後、前置審査において、平成２３年９月１日付けで、明細書の特許請求の範囲についての補正（以下、「補正４」という。）がなされ、さらにその後、平成２４年９月１１日付けで当審より拒絶理由を通知したところ（以下、「当審拒絶理由」という。）、同年１１月８日付けで、明細書及び特許請求の範囲についての補正（以下、「補正５」という。）がなされた。
　
（２）当審拒絶理由
　当審拒絶理由の概要は、本願の各請求項に係る発明は、いずれも、その出願前に日本国内または外国において頒布された刊行物である特開平１１−３２７５１６号公報（以下、「引用例」という。）に記載された発明及び周知技術に基づいて、その出願前にその発明の属する技術の分野における通常の知識を有する者が容易に発明をすることができたものであるから、特許法第２９条第２項の規定により特許を受けることができない、というものである。
　
２．本願発明
　本願の請求項１ないし５に係る発明は、補正１、補正３、補正４、及び補正５によって補正された明細書及び図面の記載からみて、その特許請求の範囲の請求項１ないし５に記載された事項により特定されるとおりのものと認められるところ、請求項１に係る発明は次のとおりである。
「所定の表示周波数にて表示する表示装置において、
　該表示周波数を切換えるための表示周波数切換部を備え、
　該表示周波数切換部は、
　ユーザの入力操作に応じて表示周波数設定指令を出力する入力手段と、
　該入力手段からの表示周波数設定指令に基づいて表示周波数を制御する表示周波数切換え手段とを有し、
　該表示周波数を漸増方向および漸減方向の何れかに多段階または連続に切換えるように構成されており、
　該入力手段は、出力する該表示周波数設定指令により指令される表示周波数の範囲が、該地域の電源周波数以下の周波数を含むよう構成されており、
　該表示周波数切換え手段は、該入力手段からの該表示周波数設定指令により該表示周波数を切換える範囲が、該地域の電源周波数以下の周波数を含むよう構成されている、表示装置。」（以下、「本願発明」という。）
　
３．引用例に記載の事項・引用発明
（１）記載事項
　これに対し、当審拒絶理由で引用した引用例である特開平１１−３２７５１６号公報には、表示装置（発明の名称）に関し、次の事項（ａ）〜（ｄ）が図面とともに記載されている。
（ａ）「【０００１】
【発明の属する技術分野】この発明は表示装置であって、特にインバータ式の交流電源から出力される電圧によって発光されるバックライトを備えた液晶表示装置のような透過型のものに関する。
【０００２】
【従来の技術】従来この種の表示装置は、その発光効率の良さから発光手段として蛍光灯を使用する一方、表示回路の駆動用として使用される低圧の直流電圧を、インバータ回路を用いて昇圧および交流化することにより、所定のバックライト点灯用の電圧を供給することが一般に行われている。
【０００３】また蛍光灯を使用したバックライトは、インバータ回路から供給される電圧のパルスレートを変更することによりその発光輝度を容易に変更できることから、インバータ回路における周波数が手動で変更できるものも提案されている。
【０００４】
【発明が解決しようとする課題】ところで、上記した蛍光灯式の発光手段を使用した表示装置は、その使用環境によっては表示画面に横縞や波打ち状態が発生するなど、表示品質が悪くなることが知られている。
【０００５】かかる不都合について本発明者は考察を行った結果、発光手段を点灯するためのインバータ回路における発振周波数と液晶表示板に画像を表示するためのフレーム周波数とが互いに接近あるいは逓倍関係になると、両者が干渉して画像の表示品質に悪影響を及ぼすことを知見した。
【０００６】本発明はかかる知見に基づいてなされたものであって、手動または自動でフレーム周波数を微調整できる様に構成することにより、バックライトと表示画像が干渉することにより発生する表示品質の低下を的確に防止可能とするととともに、表示環境が変化しても最適な表示品質が容易に得られる表示装置を提供することを目的とする。
【０００７】
【課題を解決するための手段】本発明にかかる表示装置１５は、図１（ａ）にその全体的な構成を概略的に示す如く、インバータ式の交流電源１０で点灯される発光手段１１を備えた透過型のものであって、表示画面１２に表示される画像のフレーム周波数を、例えばフレーム周波数変更手段４８の操作手段４５を介し手動によって変更可能としたことを特徴とする。
【０００８】また図１（ｂ）の如く、上記したインバータ式の交流電源１０の発振周波数および、表示画面１２に表示される画像のフレーム周波数の検知手段４１・４２を各々備え、例えば所定の表示制御手段４３を使用して、一方の周波数を他方の周波数変化に対応して自動制御される様に構成してもよい。
【０００９】なお、上記した表示画面１２上に表示される画像のフレーム周波数とインバータ式交流電源１０の発振周波数とが、略同一または逓倍関係になることを阻止される様に設定されることが好ましい。
【００１０】
【発明の効果】上記の如く、表示画面１２上に表示される画像のフレーム周波数を手動または自動で変更できる様に構成したので、温度変化などによって使用する液晶表示板２３の表示環境が変わった場合にあっても、最適の表示品質を容易に得ることができる。
【００１１】更に上記したフレーム周波数と発光手段点灯用の電源周波数とが略同一または逓倍関係となるのを避けることにより、発光手段１１と表示された画像とが互いに干渉することに起因する表示品質の悪化が未然に防止できる。」
（ｂ）「【０００７】
【課題を解決するための手段】本発明にかかる表示装置１５は、図１（ａ）にその全体的な構成を概略的に示す如く、インバータ式の交流電源１０で点灯される発光手段１１を備えた透過型のものであって、表示画面１２に表示される画像のフレーム周波数を、例えばフレーム周波数変更手段４８の操作手段４５を介し手動によって変更可能としたことを特徴とする。
【０００８】また図１（ｂ）の如く、上記したインバータ式の交流電源１０の発振周波数および、表示画面１２に表示される画像のフレーム周波数の検知手段４１・４２を各々備え、例えば所定の表示制御手段４３を使用して、一方の周波数を他方の周波数変化に対応して自動制御される様に構成してもよい。
【０００９】なお、上記した表示画面１２上に表示される画像のフレーム周波数とインバータ式交流電源１０の発振周波数とが、略同一または逓倍関係になることを阻止される様に設定されることが好ましい。
【００１０】
【発明の効果】上記の如く、表示画面１２上に表示される画像のフレーム周波数を手動または自動で変更できる様に構成したので、温度変化などによって使用する液晶表示板２３の表示環境が変わった場合にあっても、最適の表示品質を容易に得ることができる。
【００１１】更に上記したフレーム周波数と発光手段点灯用の電源周波数とが略同一または逓倍関係となるのを避けることにより、発光手段１１と表示された画像とが互いに干渉することに起因する表示品質の悪化が未然に防止できる。」
（ｃ）「【００１９】本発明は上記した構成にあって、表示画面１２上に表示される画像のフレーム周波数を手動によって変更可能とした構成に特徴を有する。
【００２０】すなわちディスプレイ１８に対する画像の表示は、例えば図５（ｂ）の様に１画面を４８０本の走査線３７で構成する場合にあっては、図５（ａ）に示す様に、垂直同期信号３８と連動してビデオＲＡＭ３６から１ライン分ずつ画像データ３９を読み出し、表示画面１２上の左上隅に設定した原点位置から列方向に線状に画像データ３９を表示していく動作を、水平同期信号４０と同期させて４８０回行方向に繰り返すことによって１枚の画像が表示される。更にこの１枚の画面表示動作を、垂直同期信号３８の入力と連動して１秒間に数十ないし数百回繰り返すことにより、ちらつきのない動画再生を可能とする。
【００２１】ところで、上記した画面表示の１秒当たりの繰り返し数で規定されるフレーム周波数は、各表示デバイス毎に最適値があり、その最適値よりも周波数が低くなると輝度が低下するとともに画像のちらつきが大きくなり、逆に周波数が高くなると輝度が高くなるとともにクロストークが発生する。
【００２２】そこで本実施例にあっては、フレーム周波数の最適範囲が例えば６５〜７５［Ｈｚ］に設計された液晶表示板２３をディスプレイ１８として使用した場合にあっては、その最適範囲の中央値である７０［Ｈｚ］を初期設定値とする一方、上記した垂直同期信号３８および水平同期信号４０のパルスレートを手動で変更できる様に構成することにより、フレーム周波数が前記した指定範囲内あるいはそれを超えて変更できる様にしている。」
（ｄ）「【００２５】すなわち図２に例示するごとく、テストパターン４６と、フレーム周波数の設定変更用ボタン４７、および現在の設定値表示４８とを同一の表示画面１２上に備えることにより、画像表示の初期設定画面が構成される。更に、設定変更用ボタン４７を操作することにより設定値表示４８が増減するとともにテストパターン４６でその設定状態が確認できるので、最適な表示状態となった時点でその値を確定することにより、設定は終了する。
【００２６】上記した様に、表示画像を確認しながらフレーム周波数を手動で変更することにより画像品質の一番いい状態に調整するのに加えてあるいは代えて、自動的に制御させることも可能である。」
　
（２）引用発明
　まず、上記記載事項（ｂ）、（ｃ）、及び基本的な構成を示す説明図であって、手動で調整が行われるものである図１（ａ）に記載されている操作手段４５とフレーム周波数変更手段４８とを併せて、フレーム周波数切換部と呼ぶこととする。
　また、設定値変更ボタン４７を手動操作すると、フレーム周波数変更手段４８によりフレーム周波数が変更されるというのであるから、設定値変更ボタン４７からフレーム周波数変更手段４８を制御するためのなんらかの信号が出力されることは明らかであり、この出力信号をフレーム周波数設定信号と呼ぶこととする。
　この点を踏まえ、上記記載事項（ａ）ないし（ｄ）、及び図１（ａ）や表示装置を示す正面図である図２の記載を総合すると、引用例には次の発明が記載されているものと認められる。
　
「所定のフレーム周波数にて表示する表示装置１５において、 
　該フレーム周波数を変更するためのフレーム周波数切換部を備え、
　該フレーム周波数切換部は、
　手動によってフレーム周波数設定信号を出力する設定値変更ボタン４７と、
　該設定値変更ボタン４７からのフレーム周波数設定信号によりフレーム周波数を変更するフレーム周波数変更手段４８とを有し、 
　該フレーム周波数を７０Ｈｚを中央値として増減するように構成されており、
　該設定値変更ボタン４７は、出力するフレーム周波数設定信号により制御されるフレーム周波数の範囲が、６５〜７５Ｈｚ、あるいはそれを超えて変更できるように構成されており、
　該フレーム周波数変更手段４８は、該設定値変更ボタン４７からのフレーム周波数設定信号により該フレーム周波数を変更する範囲が、６５〜７５Ｈｚ、あるいはそれを超えて変更できるように構成されている、表示装置１５。」（以下、「引用発明」という。）
　
４．対比
（１）本願発明と、引用発明とを対比する。 
ア　まず、主たる構成要素に着目するに、引用発明における「フレーム周波数」、「表示装置１５」、「フレーム周波数切換部」、「フレーム周波数設定信号」、「設定値変更ボタン４７」、及び「フレーム周波数変更手段４８」は、本願発明における「表示周波数」、「表示装置」、「表示周波数切換部」、「表示周波数設定指令」、「入力手段」、及び「表示周波数切換え手段」に、それぞれ相当する。
　
イ　以上の相当関係を踏まえると、引用発明における「該フレーム周波数を７０Ｈｚを中央値として増減するように構成され」は、本願発明における「該表示周波数を漸増方向および漸減方向の何れかに多段階または連続に切換えるように構成され」に相当するといえる。
　
ウ　また、引用発明における「該設定値変更ボタン４７は、出力するフレーム周波数設定信号により制御されるフレーム周波数の範囲が、６５〜７５Ｈｚ、あるいはそれを超えて変更できるように構成されており、該フレーム周波数変更手段４８は、該設定値変更ボタン４７からのフレーム周波数設定信号により該フレーム周波数を変更する範囲が、６５〜７５Ｈｚ、あるいはそれを超えて変更できるように構成されている」ことも、本願発明における「該入力手段は、出力する該表示周波数設定指令により指令される表示周波数の範囲が、該地域の電源周波数以下の周波数を含むよう構成されており、該表示周波数切換え手段は、該入力手段からの該表示周波数設定指令により該表示周波数を切換える範囲が、該地域の電源周波数以下の周波数を含むよう構成されている」ことも、共に、「該入力手段は、出力する該表示周波数設定指令により指令される表示周波数の範囲が、地域の電源周波数付近の所定の範囲となるよう構成されており、該表示周波数切換え手段は、該入力手段からの該表示周波数設定指令により該表示周波数を切換える範囲が、地域の電源周波数付近の所定の範囲となるよう構成されている」点で、共通する。
　
（２）してみると、両者の一致点、相違点は、以下のとおりである。
（一致点）
「所定の表示周波数にて表示する表示装置において、
　該表示周波数を切換えるための表示周波数切換部を備え、
　該表示周波数切換部は、
　ユーザの入力操作に応じて表示周波数設定指令を出力する入力手段と、
　該入力手段からの表示周波数設定指令に基づいて表示周波数を制御する表示周波数切換え手段とを有し、
　該表示周波数を漸増方向および漸減方向の何れかに多段階または連続に切換えるように構成されており、
　該入力手段は、出力する該表示周波数設定指令により指令される表示周波数の範囲が、地域の電源周波数付近の所定の範囲となるよう構成されており、
　該表示周波数切換え手段は、該入力手段からの該表示周波数設定指令により該表示周波数を切換える範囲が、地域の電源周波数付近の所定の範囲となるよう構成されている表示装置。」
（相違点）
　本願発明では、「該入力手段は、出力する該表示周波数設定指令により指令される表示周波数の範囲が、該地域の電源周波数以下の周波数を含むよう構成されており、該表示周波数切換え手段は、該入力手段からの該表示周波数設定指令により該表示周波数を切換える範囲が、該地域の電源周波数以下の周波数を含むよう構成されている、」とあるように、要すれば、表示周波数を切り換える範囲が、地域の電源周波数以下の周波数を含むようにされているのに対し、引用発明では、「該設定値変更ボタン４７は、出力するフレーム周波数設定信号により制御されるフレーム周波数の範囲が、６５〜７５Ｈｚ、あるいはそれを超えて変更できるように構成されており、該フレーム周波数変更手段４８は、該設定値変更ボタン４７からのフレーム周波数設定信号により該フレーム周波数を変更する範囲が、６５〜７５Ｈｚ、あるいはそれを超えて変更できるように構成されている、」とあるように、フレーム周波数（本願発明における「表示周波数」に相当する。以下、同様。）を切り換える範囲に地域の電源周波数が含まれるかどうかが明らかではない点。　
５．当審の判断
（１）検討
　上記相違点について、検討する。 
　表示周波数を下げることで、表示画面にちらつきは残るものの、表示装置の消費電力を抑えるようにすることは、この種の表示装置において周知技術であり、また、表示周波数を３９Ｈｚ（すなわち、地域の電源周波数以下の周波数）に設定することも普通に行われている技術事項である。 
　この点については、当審拒絶理由で周知例として示した特開平１１−３０６３号公報の「【００４７】すなわち、第２の表示モードにおいて、図４に示すように、ＬＣＤコントローラ２３から出力されるシフトクロック（ＳＣＫ）の周波数を低くする。これにより、データの表示期間つまりフレーム周期が遅くなる。フレーム周期が遅くなると、ＬＣＤ２１にはフリッカが目立ち、画面自体は見にくくなるが、動作周波数が下がるため、ＬＣＤ２１の消費電力が下がるといった利点がある。」との記載や、同じく特開平６−１１９０７９号公報の「【００５５】図８によると例えば、分周数が２の場合、転送クロックは３．０ＭＨｚ、フレーム周波数は７８Ｈｚであり、ちらつきのない良好な画質が得られる。分周数が３で、フレーム周波数が５２Ｈｚの場合、表示画面にややちらつきがみられるが、転送クロック周波数が２．０ＭＨｚと低くなるので消費電力を抑えることができる。さらに、分周数が４で、フレーム周波数が３９Ｈｚの場合、表示画面はちらつきがみられるが、消費電力はさらに低く抑えることができる。」との記載を参照されたい。
　してみると、表示装置の消費電力を抑えるために、フレーム周波数を変更する範囲が、６５〜７５Ｈｚ、あるいはそれを超えて変更できるように構成されている引用発明において、その周波数の変更の範囲に、地域の電源周波数、すなわち、５０Ｈｚ又は６０Ｈｚ以下の周波数を含むようにすることは、当業者ならば容易に想到し得たものであるといえる。 
　 
６．むすび
  したがって本願発明は、引用発明及び周知技術に基づいて当業者が容易に発明をすることができたものと認められるから、特許法第２９条第２項の規定により特許を受けることができない。
　以上のとおり、本願発明が特許を受けることができないものであるから、本願の他の請求項に係る発明について審理するまでもなく、本願は拒絶すべきものである。
　よって結論のとおり審決する。